【事件の表示】
　特願２０１６−１４４０６７「Ｂ型肝炎抗ウイルス剤」拒絶査定不服審判事件〔平成２８年１２月２８日出願公開、特開２０１６−２２２６９３、請求項の数（３７）〕について、次のとおり審決する。
【結　論】
　原査定を取り消す。
　本願の発明は、特許すべきものとする。
【理　由】
第１　主な手続の経緯
　本願は、２０１２年１２月２１日（パリ条約による優先権主張外国庁受理　２０１１年１２月２１日　アメリカ合衆国（ＵＳ）、２０１２年１０月３日　アメリカ合衆国（ＵＳ））を国際出願日とする特願２０１４−５４８９３９号の一部を、特許法第４４条第１項の規定により平成２８年７月２２日に新たな特許出願としたものであって、平成２９年５月１９日付けで拒絶理由が通知され、同年１１月２８日付けで意見書及び手続補正書が提出されたが、平成３０年２月１５日付けで拒絶査定がなされ、これに対し、同年６月１９日に拒絶査定不服審判の請求がなされたものである。
第２　原査定の概要
　原査定（平成３０年２月１５日付けの拒絶査定）の概要は次のとおりである。
理由１（特許法第３９条第２項：同日出願）
　本願の請求項１〜１９に係る発明は、同日出願された下記の出願の請求項１〜８に係る発明と同一と認められ、また、本願の請求項２０〜３７に係る発明は、同日出願された下記の出願の請求項２２〜３９に係る発明と同一と認められ、かつ、下記の出願の請求項１〜８及び２２〜３９に係る発明は特許されており協議を行うことができないから、特許法第３９条第２項の規定により特許を受けることができない。
同日出願：特願２０１４−５４８９３９号（特許第５９７７８３７号公報）
第３　本願発明
　本願の請求項１〜３７に係る発明（以下、「本願発明１」、「本願発明２」などという。）は、平成２９年１１月２８日付け手続補正書の特許請求の範囲の請求項１〜３７に記載された事項により特定される次のとおりのものである。
「【請求項１】
　以下の構造
【化１】
を有する化合物、又は薬学的に許容されるその塩。
【請求項２】
　以下の構造
【化２】
を有する化合物、又は薬学的に許容されるその塩。
【請求項３】
　以下の構造
【化３】
を有する化合物、又は薬学的に許容されるその塩。
【請求項４】
　以下の構造
【化４】
を有する化合物、又は薬学的に許容されるその塩。
【請求項５】
　以下の構造
【化５】
を有する化合物、又は薬学的に許容されるその塩。
【請求項６】
　以下の構造
【化６】
を有する化合物、又は薬学的に許容されるその塩。
【請求項７】
　以下の構造
【化７】
を有する化合物、又は薬学的に許容されるその塩。
【請求項８】
　以下の構造
【化８】
を有する化合物、又は薬学的に許容されるその塩。
【請求項９】
　以下の構造
【化９】
を有する化合物、又は薬学的に許容されるその塩。
【請求項１０】
　以下の構造
【化１０】
を有する化合物、又は薬学的に許容されるその塩。
【請求項１１】
　以下の構造
【化１１】
を有する化合物、又は薬学的に許容されるその塩。
【請求項１２】
　以下の構造
【化１２】
を有する化合物、又は薬学的に許容されるその塩。
【請求項１３】
　以下の構造
【化１３】
を有する化合物、又は薬学的に許容されるその塩。
【請求項１４】
　以下の構造
【化１４】
を有する化合物、又は薬学的に許容されるその塩。
【請求項１５】
　以下の構造
【化１５】
を有する化合物、又は薬学的に許容されるその塩。
【請求項１６】
　以下の構造
【化１６】
を有する化合物、又は薬学的に許容されるその塩。
【請求項１７】
　以下の構造
【化１７】
を有する化合物、又は薬学的に許容されるその塩。
【請求項１８】
　以下の構造
【化１８】
を有する化合物、又は薬学的に許容されるその塩。
【請求項１９】
　以下の構造
【化１９】
を有する化合物、又は薬学的に許容されるその塩。
【請求項２０】
　請求項１〜１９のいずれか一項に記載の化合物、又は薬学的に許容されるその塩を含む、組成物。
【請求項２１】
　医薬品であり、少なくとも１つの薬学的に許容される担体を更に含む、請求項２０に記載の組成物。
【請求項２２】
　請求項１〜１９のいずれか一項に記載の化合物を含む、それを必要とする個体においてＨＢＶ感染を治療する、根絶する、低減する、緩徐化する、又は阻害するための、組成物。
【請求項２３】
　請求項１〜１９のいずれか一項に記載の化合物を含む、それを必要とする個体においてＨＢＶ感染に関連するウイルス負荷を低減するための、組成物。
【請求項２４】
　請求項１〜１９のいずれか一項に記載の化合物を含む、それを必要とする個体においてＨＢＶ感染の再発を低減するための、組成物。
【請求項２５】
　請求項１〜１９のいずれか一項に記載の化合物を含む、それを必要とする個体においてＨＢＶ感染の生理的悪影響を低減するための、組成物。
【請求項２６】
　請求項１〜１９のいずれか一項に記載の化合物を含む、それを必要とする個体においてＨＢＶ感染からの肝損傷の寛解を誘導するための、組成物。
【請求項２７】
　請求項１〜１９のいずれか一項に記載の化合物を含む、それを必要とする個体においてＨＢＶ感染に対する長期抗ウイルス療法の生理的影響を低減するための、組成物。
【請求項２８】
　請求項１〜１９のいずれか一項に記載の化合物を含む、それを必要とする個体においてＨＢＶ感染を予防的に治療するための、組成物であって、前記個体がＨＢＶ潜伏感染に罹患している、組成物。
【請求項２９】
　ＨＢＶポリメラーゼ阻害剤、インターフェロン、ウイルス侵入阻害剤、ウイルス成熟阻害剤、文献に記載のカプシド集合調節物質、逆転写酵素阻害剤、ＴＬＲアゴニスト、及び特有の又は未知の機構の薬剤、並びにそれらの組み合わせからなる群から選択される少なくとも１つの追加の治療剤と併用される、請求項２２〜２８のいずれか一項に記載の組成物。
【請求項３０】
　前記逆転写酵素阻害剤が、ジドブジン、ジダノシン、ザルシタビン、ｄｄＡ、スタブジン、ラミブジン、アバカビル、エムトリシタビン、エンテカビル、アプリシタビン、アテビラピン（Ａｔｅｖｉｒａｐｉｎｅ）、リバビリン、アシクロビル（ａｃｙｃｌｏｖｉｒ）、ファムシクロビル、バラシクロビル（ｖａｌａｃｙｃｌｏｖｉｒ）、ガンシクロビル、バルガンシクロビル、テノホビル、アデホビル、シドホビル、エファビレンツ、ネビラピン、デラビルジン、又はエトラビリンのうちの少なくとも１つである、請求項２９に記載の組成物。
【請求項３１】
　前記ＴＬＲアゴニストが、ＳＭ３６０３２０（９−ベンジル−８−ヒドロキシ−２−（２−メトキシ−エトキシ）アデニン）及びＡＺＤ　８８４８（メチル［３−（｛［３−（６−アミノ−２−ブトキシ−８−オキソ−７，８−ジヒドロ−９Ｈ−プリン−９−イル）プロピル］［３−（４−モルホリニル）プロピル］アミノ｝メチル）フェニル］アセテート）からなる群から選択される、請求項２９に記載の組成物。
【請求項３２】
　前記化合物と前記少なくとも１つの追加の治療剤とが共製剤化される、請求項２９に記載の組成物。
【請求項３３】
　前記化合物と前記少なくとも１つの追加の治療剤とが共投与される、請求項２９に記載の組成物。
【請求項３４】
　それを必要とする個体においてＨＢＶ感染を予防的に治療する際に同様の結果を達成するのに必要とされる単独の前記少なくとも１つの追加の治療剤と比較して、前記少なくとも１つの追加の治療剤をより低い用量又は頻度で投与することを可能にする、請求項２９に記載の組成物。
【請求項３５】
　治療上有効量の前記組成物の化合物を投与する前に、前記個体は、ＨＢＶポリメラーゼ阻害剤、インターフェロン、ウイルス侵入阻害剤、ウイルス成熟阻害剤、特有のカプシド集合調節物質、特有の又は未知の機構の抗ウイルス化合物、及びそれらの組み合わせからなる群から選択される化合物に不応性であることが知られている、請求項２９に記載の組成物。
【請求項３６】
　ＨＢＶポリメラーゼ阻害剤、インターフェロン、ウイルス侵入阻害剤、ウイルス成熟阻害剤、特有のカプシド集合調節物質、特有の又は未知の機構の抗ウイルス化合物、及びそれらの組み合わせからなる群から選択される化合物と比較して、前記個体におけるウイルス負荷をより大きい程度に低減する、請求項２９に記載の組成物。
【請求項３７】
　ＨＢＶポリメラーゼ阻害剤、インターフェロン、ウイルス侵入阻害剤、ウイルス成熟阻害剤、特有のカプシド集合調節物質、特有の又は未知の機構の抗ウイルス化合物、及びそれらの組み合わせからなる群から選択される化合物よりも、ウイルス突然変異及び／又はウイルス耐性のより低い発生率を引き起こす、請求項２９に記載の組成物。」
第４　同日出願に係る発明
　原査定の拒絶の理由に引用された同日出願の請求項１〜８及び２２〜３９に係る発明（以下、「同日出願発明１」、「同日出願発明２」などという。）は、願書に添付された特許請求の範囲の請求項１〜８及び２２〜３９に記載された事項により特定される次のとおりのものである。
　なお、同日出願は、本願の原出願である特願２０１４−５４８９３９号に係る特許第５９７７８３７号である。
「【請求項１】
　式ＩＶ：
【化１】
の化合物、またはその薬学的に許容される塩であって、式中、
　Ｒ４は、ＨまたはＣ１−Ｃ６アルキルであり、
　各Ｒ５は、各出現につき、ＣＨ３、Ｃ１−Ｃ６アルコキシ、ハロ、−ＣＮ、−ＮＯ２、−Ｃ１−Ｃ６ハロアルキル、−Ｃ１−Ｃ６ジハロアルキル、および−Ｃ１−Ｃ６トリハロアルキルからなる群から独立して選択され、
　Ｒ１０は、ＯＨ、ハロ、Ｃ１−Ｃ６アルキル、Ｃ１−Ｃ６アルキル−ＯＨ、−Ｃ１−Ｃ６クロロアルキル、−Ｃ１−Ｃ６ジクロロアルキル、−Ｃ１−Ｃ６トリクロロアルキル、−Ｃ１−Ｃ６フルオロアルキル、−Ｃ１−Ｃ６ジフルオロアルキル、−Ｃ１−Ｃ６トリフルオロアルキル、Ｃ１−Ｃ６ヘテロアルキル、Ｃ３−Ｃ１０シクロアルキル、Ｃ３−Ｃ１０ヘテロシクロアルキル、アリール、ヘテロアリール、−Ｃ１−Ｃ４アルキル−（Ｃ３−Ｃ１０シクロアルキル）、−Ｃ１−Ｃ４アルキル−（Ｃ３−Ｃ１０ヘテロシクロアルキル）、−Ｃ１−Ｃ４アルキル−（アリール）、または−Ｃ１−Ｃ４アルキル−（ヘテロアリール）であり、前記アルキル、ヘテロアルキル、シクロアルキル、ヘテロシクロアルキル、アリール、またはヘテロアリール環は、Ｒ２から選択される１〜５個の置換基で任意に置換されており、
　Ｒ１１は、結合またはＣ１−Ｃ３アルキレンであり、前記Ｃ１−Ｃ３アルキレンは、Ｒ２から選択される１〜３個の置換基で任意に置換されており、
　Ｒ２は、各出現につき、ハロ、−ＣＮ、−ＮＯ２、−Ｃ１−Ｃ６アルキル、−Ｃ１−Ｃ６アルコキシ、−Ｃ１−Ｃ６フルオロアルキル、−Ｃ１−Ｃ６ヘテロアルキル、Ｃ（Ｏ）−Ｃ１−Ｃ６アルキル、およびＣ（Ｏ）−Ｃ１−Ｃ６アルコキシからなる群から独立して選択され、
　ｗは、０、１、または２であり、
　ｘの各出現は、０、１、２、３、および４からなる群から独立して選択され、
　ｙの各出現は、１、２、および３からなる群から独立して選択され、
　ｚの各出現は、０、１、２、および３からなる群から独立して選択され、
　ｍの各出現は、独立して、０、１、または２である、化合物。
【請求項２】
　式ＩＶの前記化合物は、式ＩＶａ：
【化２】
の化合物、またはその薬学的に許容される塩である、請求項１に記載の化合物。
【請求項３】
　各Ｒ５は、各出現につき、ＣＨ３、Ｃ１−Ｃ６アルコキシ、ハロ、フルオロメチル、ジフルオロメチル、トリフルオロメチル、クロロメチル、ジクロロメチル、およびトリクロロメチルからなる群から独立して選択され、
　Ｒ１０は、ＯＨ、ハロ、Ｃ１−Ｃ６アルキル、Ｃ１−Ｃ６アルキル−ＯＨ、Ｃ１−Ｃ６フルオロアルキル、Ｃ１−Ｃ６ジフルオロアルキル、Ｃ１−Ｃ６トリフルオロアルキル、Ｃ１−Ｃ６ヘテロアルキル、Ｃ３−Ｃ１０シクロアルキル、Ｃ３−Ｃ１０ヘテロシクロアルキル、アリール、ヘテロアリール、−Ｃ１−Ｃ４アルキル−（Ｃ３−Ｃ１０シクロアルキル）、−Ｃ１−Ｃ４アルキル−（Ｃ３−Ｃ１０ヘテロシクロアルキル）、−Ｃ１−Ｃ４アルキル−（アリール）、または−Ｃ１−Ｃ４アルキル−（ヘテロアリール）であり、前記アルキル、ヘテロアルキル、シクロアルキル、ヘテロシクロアルキル、アリール、またはヘテロアリール環は、Ｒ２から選択される１〜５個の置換基で任意に置換されており、
　Ｒ１１は、結合またはＣ１−Ｃ３アルキレンであり、
　Ｒ２は、各出現につき、ハロ、−ＣＮ、−ＮＯ２、−Ｃ１−Ｃ６アルキル、−Ｃ１−Ｃ６アルコキシ、−Ｃ１−Ｃ６フルオロアルキル、−Ｃ１−Ｃ６ヘテロアルキル、およびＣ（Ｏ）−Ｃ１−Ｃ６アルキル、およびＣ（Ｏ）−Ｃ１−Ｃ６アルコキシからなる群から独立して選択される、請求項１または２に記載の化合物。
【請求項４】
　Ｒ５は、３−Ｆ、３−Ｃｌ、３−ＣＨ３、３−ＣＨ２Ｆ、３−ＣＨＦ２、４−Ｆ、３−ＣＨ３−４−Ｆ、３−Ｃｌ−４−Ｆ、３−Ｂｒ−４−Ｆ、３，４，５−トリフルオロ、３，４，５−トリクロロ、または３−クロロ−４，５−ジフルオロである、請求項１〜３のいずれかに記載の化合物。
【請求項５】
　ｗは、１または２である、請求項１〜４のいずれかに記載の化合物。
【請求項６】
　Ｒ１１は、結合またはＣ１−Ｃ３アルキレンであり、
　Ｒ１０は、ＯＨ、ハロ、Ｃ１−Ｃ６アルキル、Ｃ１−Ｃ６アルキル−ＯＨ、−Ｃ１−Ｃ６クロロアルキル、−Ｃ１−Ｃ６ジクロロアルキル、−Ｃ１−Ｃ６トリクロロアルキル、−Ｃ１−Ｃ６フルオロアルキル、−Ｃ１−Ｃ６ジフルオロアルキル、−Ｃ１−Ｃ６トリフルオロアルキル、Ｃ３−Ｃ１０シクロアルキル、Ｃ３−Ｃ１０ヘテロシクロアルキル、またはフェニルであり、そのＣ３−Ｃ１０シクロアルキル、Ｃ３−Ｃ１０ヘテロシクロアルキル、またはフェニル基は、ハロ、−Ｃ１−Ｃ６アルキル、および−Ｃ１−Ｃ６アルコキシから選択される１〜５個の置換基で任意に置換されており、
　ｚは、０または１である、請求項１〜５のいずれかに記載の化合物。
【請求項７】
　式ＩＶの前記化合物は、式ＩＶｂ：
【化３】
の化合物、またはその薬学的に許容される塩であり、式中、
　Ｇ１は、各出現につき、ＣＨ３、ＯＣＨ３、ハロ、ＣＣｌ３、ＣＨ２Ｃｌ、ＣＣｌ２Ｈ、ＣＦ２Ｈ、ＣＨ２Ｆ、およびＣＦ３から独立して選択され、
　Ｇ２は、Ｈ、Ｃ１−Ｃ４アルキル、またはハロであり、
　Ｇ３は、ＯＨ、ＣＨ２ＯＨ、またはＣＨ２ＣＨ２ＯＨであり、
　Ｇ４は、Ｈ、ＯＨ、ハロ、Ｃ１−Ｃ６アルキル、Ｃ１−Ｃ６アルキル−ＯＨ、−Ｃ１−Ｃ６クロロアルキル、−Ｃ１−Ｃ６ジクロロアルキル、−Ｃ１−Ｃ６トリクロロアルキル、−Ｃ１−Ｃ６フルオロアルキル、−Ｃ１−Ｃ６ジフルオロアルキル、−Ｃ１−Ｃ６トリフルオロアルキル、またはフェニルであり、そのフェニル基は任意に、ハロ、−Ｃ１−Ｃ６アルキル、および−Ｃ１−Ｃ６アルコキシから独立して選択される１〜５個の置換基で置換されており、
　ｙは、１、２、または３である、請求項１〜６のいずれかに記載の化合物。
【請求項８】
　式ＩＶの前記化合物は、式ＩＶｃ：
【化４】
の化合物、またはその薬学的に許容される塩であり、式中、
　Ｘは、ハロであり、
　Ｇ１は、水素またはハロであり、
　Ｇ２は、Ｈ、Ｃ１−Ｃ４アルキル、またはハロであり、
　Ｇ４は、Ｈ、ハロ、Ｃ１−Ｃ４アルキル、またはＯＨである、請求項１〜７のいずれかに記載の化合物。」
「【請求項２２】
　請求項１〜２１のいずれか１項に記載の化合物、またはその塩もしくは溶媒和物を含む、組成物。
【請求項２３】
　前記組成物は、医薬品であり、少なくとも１つの薬学的に許容される担体を更に含む、請求項２２に記載の組成物。
【請求項２４】
　それを必要とする個体においてＨＢＶ感染を治療する、根絶する、低減する、緩徐化する、または阻害するための、請求項１〜２１のいずれか１項に記載の化合物を含む組成物。
【請求項２５】
　それを必要とする個体においてＨＢＶ感染に関連するウイルス負荷を低減するための、請求項１〜２１のいずれか１項に記載の化合物を含む組成物。
【請求項２６】
　それを必要とする個体においてＨＢＶ感染の再発を低減するための、請求項１〜２１のいずれか１項に記載の化合物を含む組成物。
【請求項２７】
　それを必要とする個体においてＨＢＶ感染の生理的悪影響を低減するための、請求項１〜２１のいずれか１項に記載の化合物を含む組成物。
【請求項２８】
　それを必要とする個体においてＨＢＶ感染からの肝損傷の寛解を誘導するための、請求項１〜２１のいずれか１項に記載の化合物を含む組成物。
【請求項２９】
　それを必要とする個体においてＨＢＶ感染に対する長期抗ウイルス療法の生理的影響を低減するための、請求項１〜２１のいずれか１項に記載の化合物を含む組成物。
【請求項３０】
　それを必要とするＨＢＶ潜伏感染に罹患している個体においてＨＢＶ感染を予防的に治療するための、請求項１〜２１のいずれか１項に記載の化合物を含む組成物。
【請求項３１】
　ＨＢＶポリメラーゼ阻害剤、インターフェロン、ウイルス侵入阻害剤、ウイルス成熟阻害剤、文献に記載のカプシド集合調節物質、逆転写酵素阻害剤、ＴＬＲアゴニスト、および特有のまたは未知の機構の薬剤、ならびにそれらの組み合わせからなる群から選択される少なくとも１つの追加の治療剤と併用する、請求項２４〜３０のいずれか１項に記載の組成物。
【請求項３２】
　前記逆転写酵素阻害剤は、ジドブジン、ジダノシン、ザルシタビン、ｄｄＡ、スタブジン、ラミブジン、アバカビル、エムトリシタビン、エンテカビル、アプリシタビン、アテビラピン（Ａｔｅｖｉｒａｐｉｎｅ）、リバビリン、アシクロビル（ａｃｙｃｌｏｖｉｒ）、ファムシクロビル、バラシクロビル（ｖａｌａｃｙｃｌｏｖｉｒ）、ガンシクロビル、バルガンシクロビル、テノホビル、アデホビル、シドホビル、エファビレンツ、ネビラピン、デラビルジン、またはエトラビリンのうちの少なくとも１つである、請求項３１に記載の組成物。
【請求項３３】
　前記ＴＬＲアゴニストは、ＳＭ３６０３２０（９−ベンジル−８−ヒドロキシ−２−（２−メトキシ−エトキシ）アデニン）およびＡＺＤ８８４８（メチル［３−（｛［３−（６−アミノ−２−ブトキシ−８−オキソ−７，８−ジヒドロ−９Ｈ−プリン−９−イル）プロピル］［３−（４−モルホリニル）プロピル］アミノ｝メチル）フェニル］アセテート）からなる群から選択される、請求項３１に記載の組成物。
【請求項３４】
　前記組成物および前記少なくとも１つの追加の治療剤は、共製剤化される、請求項３１に記載の組成物。
【請求項３５】
　前記組成物および前記少なくとも１つの追加の治療剤は、共投与される、請求項３１に記載の組成物。
【請求項３６】
　それを必要とする個体においてＨＢＶ感染を予防的に治療する際に同様の結果を達成するのに必要とされる単独の前記少なくとも１つの追加の治療剤と比較して、前記少なくとも１つの追加の治療剤をより低い用量または頻度で投与することを可能にする、請求項３１に記載の組成物。
【請求項３７】
　治療上有効量の前記組成物を投与する前に、前記個体は、ＨＢＶポリメラーゼ阻害剤、インターフェロン、ウイルス侵入阻害剤、ウイルス成熟阻害剤、特有のカプシド集合調節物質、特有のまたは未知の機構の抗ウイルス化合物、およびそれらの組み合わせからなる群から選択される化合物に不応性であることが知られている、請求項３１に記載の組成物。
【請求項３８】
　ＨＢＶポリメラーゼ阻害剤、インターフェロン、ウイルス侵入阻害剤、ウイルス成熟阻害剤、特有のカプシド集合調節物質、特有のまたは未知の機構の抗ウイルス化合物、およびそれらの組み合わせからなる群から選択される化合物と比較して、前記個体におけるウイルス負荷をより大きい程度に低減する、請求項３１に記載の組成物。
【請求項３９】
　ＨＢＶポリメラーゼ阻害剤、インターフェロン、ウイルス侵入阻害剤、ウイルス成熟阻害剤、特有のカプシド集合調節物質、特有のまたは未知の機構の抗ウイルス化合物、およびそれらの組み合わせからなる群から選択される化合物よりも、ウイルス突然変異および／またはウイルス耐性のより低い発生率を引き起こす、請求項３１に記載の組成物。」
第５　対比・判断
１　本願発明１〜１９について
（１）はじめに
　本願発明１〜１９は、それぞれが化学構造式で特定された個別の化合物、又は薬学的に許容されるその塩に関する。
　そこで、これらを便宜的に、以下のとおりの一般式（式中の各置換基をＡ〜Ｇで示す。）で表し、それらを下記のとおり一覧表にした。
（２）同日出願発明１について
ア　同日出願発明１は、次の式ＩＶの化合物、又はその薬学的に許容される塩に関する。
イ　本願発明１〜１９と同日出願発明１とを、それぞれの化合物について対比すると、両発明は次の点で相違している。
相違点１
　アミド基の窒素原子に結合した置換フェニル基の置換基の結合位置、置換の数及び種類について、本願発明１〜１９は、いずれもＡ〜Ｃで示される位置にフッ素原子又は塩素原子から選ばれる原子のいずれかが結合し、その数は３個であるのに対し、同日出願発明１は、上記Ａ〜Ｃで示される任意の位置にＲ５で表される置換基を１〜３個有し、さらに、Ｒ５が、ＣＨ３、Ｃ１−Ｃ６アルコキシ、ハロ、−ＣＮ、−ＮＯ２、−Ｃ１−Ｃ６ハロアルキル、−Ｃ１−Ｃ６ジハロアルキル、及び−Ｃ１−Ｃ６トリハロアルキルからなる群から独立して選択されるとされている点。
相違点２
　アミド基の窒素原子における上記相違点１で指摘したフェニル基以外に結合している置換基について、本願発明１〜１９は、いずれも水素原子のみであるのに対し、同日出願発明１は、Ｒ４で表される置換基であり、さらに、Ｒ４が、Ｈ又はＣ１−Ｃ６アルキルであるとされている点。
相違点３
　アミド基とスルホニル基が結合したフェニル基における他の置換基の結合位置、置換の数及び種類について、本願発明１〜１９は、いずれもＤの位置のみに、フッ素原子又は塩素原子から選ばれる原子のいずれかが結合しているのに対し、同日出願発明１は、任意の位置にＲ２で表される置換基を０〜４個有し、さらに、Ｒ２が、ハロ、−ＣＮ、−ＮＯ２、−Ｃ１−Ｃ６アルキル、−Ｃ１−Ｃ６アルコキシ、−Ｃ１−Ｃ６フルオロアルキル、−Ｃ１−Ｃ６ヘテロアルキル、Ｃ（Ｏ）−Ｃ１−Ｃ６アルキル、及びＣ（Ｏ）−Ｃ１−Ｃ６アルコキシからなる群から独立して選択されるとされている点。
相違点４
　スルホニル基に結合する窒素原子を含む窒素含有複素環について、本願発明１〜１９は、いずれもピペリジン環であり、Ｅの位置に水素原子、フッ素原子、ヒドロキシ基、メチル基、エチル基から選ばれるいずれかが結合し、Ｆの位置にヒドロキシ基、ヒドロキシメチル基、ヒドロキシエチル基から選ばれるいずれかが結合し、Ｇの位置に水素原子、メチル基、ヒドロキシメチル基から選ばれるいずれかが結合しているのに対して、同日出願発明１は、アザシクロブタン、ピロリジン、ピペリジンから選ばれる窒素含有複素環（ｗ＝０〜２）であって、前記窒素含有複素環の任意の位置にＲ１１−ＯＨで表される置換基を１個とＲ１０で表される置換基を０〜３個有し、Ｒ１１が、結合又はＣ１−Ｃ３アルキレンであり、前記Ｃ１−Ｃ３アルキレンはＲ２から選択される１〜３個の置換基で任意に置換されており、Ｒ１０が、ＯＨ、ハロ、Ｃ１−Ｃ６アルキル、Ｃ１−Ｃ６アルキル−ＯＨ、−Ｃ１−Ｃ６クロロアルキル、−Ｃ１−Ｃ６ジクロロアルキル、−Ｃ１−Ｃ６トリクロロアルキル、−Ｃ１−Ｃ６フルオロアルキル、−Ｃ１−Ｃ６ジフルオロアルキル、−Ｃ１−Ｃ６トリフルオロアルキル、Ｃ１−Ｃ６ヘテロアルキル、Ｃ３−Ｃ１０シクロアルキル、Ｃ３−Ｃ１０ヘテロシクロアルキル、アリール、ヘテロアリール、−Ｃ１−Ｃ４アルキル−（Ｃ３−Ｃ１０シクロアルキル）、−Ｃ１−Ｃ４アルキル−（Ｃ３−Ｃ１０ヘテロシクロアルキル）、−Ｃ１−Ｃ４アルキル−（アリール）、又は−Ｃ１−Ｃ４アルキル−（ヘテロアリール）であり、前記アルキル、ヘテロアルキル、シクロアルキル、ヘテロシクロアルキル、アリール、又はヘテロアリール環は、Ｒ２から選択される１〜５個の置換基で任意に置換されているとされている点。
ウ　相違点１〜４についての検討
　同日出願発明１の式ＩＶの化合物は、上記イで指摘したとおり、例えば、相違点４のスルホニル基に結合する窒素原子を含む窒素含有複素環について、３種類の環から選ばれることに加え、置換基の結合位置、置換の数及び種類が様々であり、膨大な数の選択肢を有するものといえる。この点は、相違点１〜３についても同様に言えることである。
　確かに、同日出願発明１の式ＩＶの化合物の膨大な数の選択肢の中に、本願発明１〜１９の化合物が形式的に選択される場合は存在し得る。
　しかしながら、化合物発明においては、化合物が一般式の形式で記載され、当該一般式が膨大な数の選択肢を有する場合、特定の選択肢に係る技術的思想を積極的あるいは優先的に選択すべき事情がない限り、当該特定の選択肢に係る具体的な技術的思想を抽出することはできず、これを引用発明と認定することはできないというべきである。
　そして、同日出願発明１は、化合物が式ＩＶという一般式の形式で記載され、式ＩＶが膨大な数の選択肢を有するものであるところ、同日出願明細書【０１０７】に具体的な化合物が多数記載されているが、本願発明１〜１９の化合物のいずれかと一致する化合物となる特定の選択肢に係る技術的思想を積極的あるいは優先的に選択すべき事情があるとは認められないから、そのような特定の選択肢を抽出することに基づく具体的な同日出願発明１を認定することはできない。
　そして、このことは、両発明の化合物の薬学的に許容される塩についても同様である。
エ　よって、上記イの相違点１〜４は、実質的な相違点であり、本願発明１〜１９は、同日出願発明１と同一であるとはいえない。
（３）同日出願発明２〜８について
ア　同日出願発明２は、同日出願発明１を引用し、式ＩＶの化合物について、置換基Ｒ２の結合可能な位置の一つを水素原子に特定した、式ＩＶａの化合物、又はその薬学的に許容される塩に限定したものであるが、上記（２）で同日出願発明１について検討したのと同様の理由により、本願発明１〜１９は、同日出願発明２と同一であるとはいえない。
イ　また、同日出願発明３は、同日出願発明１を直接あるいは間接的に引用し、置換基Ｒ２、Ｒ５、Ｒ１０及びＲ１１を特定し、同日出願発明４は、同日出願発明１を直接あるいは間接的に引用し、置換基Ｒ５を特定し、同日出願発明５は、同日出願発明１を直接あるいは間接的に引用し、ｗの数を特定し、同日出願発明６は、同日出願発明１を直接あるいは間接的に引用し、置換基Ｒ１０、Ｒ１１及びｚの数を特定したものである。
　そして、同日出願発明７は、同日出願発明１を直接あるいは間接的に引用し、式ＩＶの化合物を、さらに式ＩＶｂの化合物（定義は省略）、又はその薬学的に許容される塩に特定したものであり、同日出願発明８は、同日出願発明１を直接あるいは間接的に引用し、式ＩＶの化合物を、さらに式ＩＶｃの化合物（定義は省略）、又はその薬学的に許容される塩に特定したものである。
　そうすると、同日出願発明３〜８は、いずれも同日出願発明１を直接あるいは間接的に引用し、さらに、発明を特定したものであるが、上記（２）で同日出願発明１について検討したのと同様の理由により、本願発明１〜１９は、同日出願発明３〜８と同一であるとはいえない。
（４）本願発明１〜１９についてのまとめ
　以上のとおりであるから、本願請求項１〜１９は、同日出願発明１〜８と同一でない。
２　本願発明２０〜３７について
　本願発明２０〜３７は、いずれも本願発明１〜１９の化合物、又は薬学的に許容されるその塩を含む組成物に関する。
　一方、同日出願発明２２〜３９は、いずれも同日出願発明１〜８の化合物、又はその薬学的に許容される塩を含む組成物に関する。
　そうすると、上記１で検討したとおり、本願発明１〜１９が同日出願発明１〜８と同一であるとはいえない以上、これらの異なる化合物、又は薬学的に許容されるその塩を含む組成物についても同一というとはできない。
　よって、本願請求項２０〜３７は、同日出願発明２２〜３９と同一でない。
第６　原査定について
　上記第５で検討したとおりであり、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。